(57)【要約】【課題】防水性を有すると共に、通気性も備えることで、長期間装着しても蒸れる等の不快感のないヒップガードを提供することを課題とする。【解決手段】臀部に装着されるヒップガード本体部１を備えたヒップガードにおいて、前記ヒップガード本体部１は、通気性を有する内布１５と、該内布１５の外側に配置された透湿性及び防水性を有する外布１６とを備えてなることにある。【選択図】      図１
2004232152.tif 000002
【特許請求の範囲】
【請求項１】
臀部に装着されるヒップガード本体部（１）を備えたヒップガードにおいて、前記ヒップガード本体部（１）は、通気性を有する内布（１５）と、該内布（１５）の外側に配置された透湿性及び防水性を有する外布（１６）とを備えてなることを特徴とするヒップガード。
【請求項２】
臀部に装着されるヒップガード本体部（１）を備えたヒップガードにおいて、前記ヒップガード本体部（１）は、内布（１５）と、該内布（１５）の外側に配置された防水性を有する外布（１６）とを備え、前記内布（１５）は通気性及び弾力性を有する立体構造状ネットからなることを特徴とするヒップガード。
【発明の詳細な説明】
【０００１】
【発明の属する技術分野】
本発明は、臀部を保護する為に、臀部に装着されるヒップガードに関するものである。
【０００２】
【従来の技術】
従来、この種のヒップガードは、臀部に当接させて臀部を保護するためのヒップガード本体部と、該ヒップガード本体部の上部両端縁に設けられた腰巻き部と、前記ヒップガードの下部に設けられた内太股片及び外太股片とを備えている。そして、前記ヒップガード本体部が、ネオプレンやポリウレタン等の弾性を有する素材から構成されてなるものである（例えば、特許文献１参照）。
【０００３】
このようなヒップガードによれば、ヒップガード本体部が弾性を有する素材から構成されてなるため、装着者が凹凸のある場所に座っても、局部的な臀部への押圧が緩衝され、又、転倒した際の臀部への衝撃が緩衝されるようになっている。
【０００４】
【特許文献１】
特開２００１−８１６０３号公報
【０００５】
【発明が解決しようとする課題】
前記従来のヒップガードを装着して、例えば、磯場等の地面に着座した場合、ヒップガード本体部は防水性を有するが、通気性を有していないため、身体からの熱を蓄積し蒸れやベタつきが生じ、不快感により着用し辛くなることが多かった。
【０００６】
本発明は、上記問題点に鑑みてなされたもので、防水性を有すると共に、通気性も備えることで、長期間装着しても蒸れる等の不快感のないヒップガードを提供することを課題とする。
【０００７】
【課題を解決するための手段】
本発明が、上記課題を解決するために講じた技術的手段は、臀部に装着されるヒップガード本体部１を備えたヒップガードにおいて、前記ヒップガード本体部１は、通気性を有する内布１５と、該内布１５の外側に配置された透湿性及び防水性を有する外布１６とを備えてなることにある。
【０００８】
そして、外布１６は、防水性を有することから、装着者が濡れた磯場等の地面に着座した場合であっても、臀部が濡れるのを防止できる。また、ヒップガードの長期間使用しても、内布１５が通気性を有すると共に、外布１６は透湿性を備えることから、蒸れるのを防止できる。
【０００９】
また、臀部に装着されるヒップガード本体部１を備えたヒップガードにおいて、前記ヒップガード本体部１は、内布１５と、該内布１５の外側に配置された防水性を有する外布１６とを備え、前記内布１５は通気性及び弾力性を有する立体構造状ネットからなることにある。
【００１０】
そして、外布１６は、防水性を有することから、臀部が濡れるのを防止できる。また、基布１５が通気性及び弾力性を有する立体構造状ネットからなることから、任意の方向に通気性を有することから、仮に外布１６が透湿性を備えていなくても、蒸れるのを防止できる。
【００１１】
【発明の実施の形態】
以下、本発明の一実施の形態について図面を参照しながら説明する。図１は本実施の形態のヒップガードを展開した状態を示す外面側の斜視図、図２は同内面側の正面図、図３は同外面側の正面図である。同図に示すように、本実施形態のヒップガードは、臀部を保護するヒップガード本体部１と、該ヒップガード本体部１の上端から両側に延設された腰巻部３と、前記ヒップガード本体部１の両側から延設された一対の外太股片４と、前記ヒップガード本体部１の下部から延設された一対の内太股片５とを備えている。
【００１２】
前記腰巻部３は、ベルト７が外側に設けられ、そのベルト７の両端には、互いに係脱自在に係合する一対のバックル８、９がそれぞれ設けられている。また、前記外太股片４と内太股片５の先端側にも、それぞれ互いに係脱自在に係合可能とすべく、一対のバックル１０、１１が設けられている。前記内太股片５の一方のバックル１０は、図６（イ）に示す如く内太股片５に連結される本体部１０ａと、該本体部１０ａに対して揺動自在に支持軸１３を介して軸支された係合部１０ｂからなる。従って、一方のバックル１０と他方のバックル１１とを連結した場合、両方のバックル１０、１１は、図６（ロ）に示す如く、屈曲することができる。
【００１３】
前記ヒップガード本体部１は、内布（基布）１５と、該基布１５の外側に位置する外布１６の複数布から構成されている。外布１６は、透湿性及び防水性を有する布地からなる。透湿性及び防水性を有する布地としては、例えば、ゴアテックス（登録商標）素材が挙げられる。
【００１４】
前記基布１５は、図５に示す如く複数層に重ね合わされた（本実施の形態では２層に重ね合わされた）立体構造状ネット１８，１８からなり、その周縁部の全周又は一部が、前記外布１６の縁部と縫着されている。基布１５は、例えば、ダブルラッセル編機により形成される編地であって、表裏二層の編地と該二層の編地を間隔をあけて連結する連結糸から構成される二重編地からなる。具体的には、表編地１９と裏編地２０を連結糸２１で連結し、表裏編地１９，２０が各々メッシュ状に形成され、二重編地の厚さ方向に空隙（貫通孔）２２を有しており軽量でありながら通気性を向上した構造である。また、前記厚さ方向と直角方向（編地の平面方向）にも連結糸２１間に貫通孔２３が形成されている。
【００１５】
前記立体構造状ネット１８，１８に使用される糸条の素材は特に限定するものでなく、ナイロン、ポリエステル、ポリアミド、ポリアクリロニトリル等の合成繊維や再生繊維、ウール、木綿といった天然繊維のいずれでもよい。表裏二層の編地を連絡する連結糸は、嵩高性と適度な反撥性（弾性力）を持たせながら通気性を付与するものを使用するのが好ましい。
【００１６】
また、前記腰巻部３も前記基布１５と同様の素材からなる単層の立体構造状ネット２５から構成されている。
【００１７】
次に、上記構成からなるヒップガードの使用方法について説明する。
先ず、ヒップガード本体部１の内側の基布１５を臀部に当接させた状態で、腰巻部３のベルト７を、それぞれそれぞれ両側から腰に巻回し、一対のバックル８、９を互いに係合させる。
【００１８】
次に、各外太股片４を太股の外側から内側に向けて巻回し、各内太股片５を太股の内側から外側に向けて巻回し、右太股、左太股のそれぞれにおいて、各太股を周回した状態で、それぞれ内太股片５と外太股片４のバックル１０、１１を係合させて、ヒップガードを装着する（図４参照）。このとき、一方のバックル１０は、本体部１０ａに対して、他方のバックル１１に係合される係合部１０ｂが、揺動自在になっていることから、互いに連結されたバックル１０、１１が太股に沿うように屈曲し、確実に装着できる。
【００１９】
かかる装着時において、基布１５は、立体構造状ネット１８，１８を重ね合わせて所定の厚さにすることにより、十分な弾性力を有しているため、臀部への押圧等が緩衝されるようになっている。尚、立体構造状ネット１８は、所定の弾性力を有する場合には、単層で使用することも可能である。しかも、外布１６は、防水性を有することから、装着者が濡れた磯場等の地面に着座した場合であっても、臀部が濡れるのを防止できる。
【００２０】
また、ヒップガードを長期使用しても、基布１５の貫通孔２２、２３が通気口の機能を有すると共に、外布１６は透湿性を備えることから、湿気は貫通孔及び外布を通過することとなり、蒸れるのを防止できる。特に、立体構造状ネット１８，１８は、厚さ方向及び編地の平面方向の任意の方向に通気性を有するため、通気性は良好なものとなる。
【００２１】
本発明は、前記実施の形態に限定されるものではなく、例えば、基布１５として立体構造状ネット１８を使用する場合、外布１６として、防水性を有するが透湿性を有しない布地を使用しても良い。
前記ヒップガード本体部１の基布１５及び前記腰巻部３は、ポリウレタン系の発泡樹脂製（合成樹脂製）やゴム製等の伸縮性及び防水性を備えた布から一体的に形成されてなるものであっても良く、材質は特に限定されるものではない。かかる場合には、基布１５に通気口としての多数のパンチング孔を形成することが可能であり、また、外布１６は、透湿性及び防水性を有する布地を使用する。
【００２２】
【発明の効果】
本発明は、ヒップガード本体部が通気性を有する内布と、該内布の外側に配置された透湿及び防水性を有する外布とを備えているので、長期間装着しても蒸れるのを防止することができ、不快感を感じることがなく非常に実用的である。
【図面の簡単な説明】
【図１】本発明の一実施の形態のヒップガードを展開した状態を示す外面側の斜視図である。
【図２】同内面側の背面図である。
【図３】同外面側の正面図である。
【図４】本発明の一実施の形態のヒップガードを装着した状態の斜視図である。
【図５】ヒップガード本体部の要部を示す概略断面図である。
【図６】（イ）は一方のバックルの一部断面図、（ロ）は一方のバックルと他方のバックルを連結した状態の図である。
【符号の説明】
１…ヒップガード本体部、１５…内布、１６…外布
【図１】
2004232152.tif 000003
【図２】
2004232152.tif 000004
【図３】
2004232152.tif 000005
【図４】
2004232152.tif 000006
【図５】
2004232152.tif 000007
【図６】
2004232152.tif 000008